(57)【要約】【課題】より自然に在宅中であることを装って留守番をさせる。【解決手段】リモコン対応の照明機器２および映像機器３などのリモコンコードを、同一または対応するリモコン操作につき複数種類、記憶する記憶部１０２と、この記憶部１０２から得られるリモコンコードを送信するための送信部１０３と、タイミング信号を不規則に出力する自動トリガ部１０４と、記憶部１０２に記憶されている各リモコンコードから、操作入力に基づいてリモコンコードを選定するための設定操作部１０５と、この設定操作部１０５によって少なくとも１つのリモコンコードが選定された場合、その少なくとも１つのリモコンコードを、自動トリガ部１０４によって出力されるタイミング信号に応じて送信部１０３を通じて送信する制御部１０１とを備えた。【選択図】  図１
2004186838.tif 000002
【特許請求の範囲】
【請求項１】
リモコン対応の照明機器、映像機器および音響機器のうち少なくとも１つの機器のリモコンコードを、同一または対応するリモコン操作につき複数種類、記憶する記憶手段と、
リモコンコードを送信するための送信手段と、
タイミング信号を不規則に出力する自動トリガ手段と、
前記記憶手段に記憶されている各リモコンコードから、操作入力に基づいてリモコンコードを選定するための選定手段と、
この選定手段によって少なくとも１つのリモコンコードが選定された場合、その少なくとも１つのリモコンコードを、前記自動トリガ手段によって出力されるタイミング信号に応じて前記送信手段を通じて送信する制御手段と
を備えることを特徴とする留守番リモコン。
【請求項２】
リモコン対応の照明機器、映像機器および音響機器のうち少なくとも１つの機器のリモコンコードを記憶する記憶手段と、
リモコンコードを送信するための送信手段と、
タイミング信号を不規則に出力する自動トリガ手段と、
外部からのリモコンコードを赤外線によるワイヤレスで受信するための受信手段と、
この受信手段で受信された外部からのリモコンコードを前記記憶手段に記憶するほか、前記記憶手段に前記外部からのリモコンコードが少なくとも１つ記憶されている場合、その少なくとも１つのリモコンコードを、前記自動トリガ手段によって出力されるタイミング信号に応じて前記送信手段を通じて送信する制御手段と
を備えることを特徴とする留守番リモコン。
【請求項３】
リモコン対応の照明機器、映像機器および音響機器のうち少なくとも１つの機器のリモコンコードを、同一または対応するリモコン操作につき複数種類、記憶する記憶手段と、
リモコンコードを送信するための送信手段と、
タイミング信号を不規則に出力する自動トリガ手段と、
この自動トリガ手段によって出力されるタイミング信号に応じて、前記記憶手段に記憶されている各リモコンコードを読み出して前記送信手段を通じて送信する制御手段と
を備えることを特徴とする留守番リモコン。
【請求項４】
前記記憶手段は、前記照明機器のリモコンコードとして、照明入のリモコン操作を行うためのリモコンコードと、照明切のリモコン操作を行うためのリモコンコードとをそれぞれ複数種類記憶し、
前記選定手段での操作入力の手順は、前記照明切のリモコン操作を行うためのリモコンコードを選定する方が前記照明入のリモコン操作を行うためのリモコンコードを選定する方よりも先になっている
ことを特徴とする請求項１記載の留守番リモコン。
【請求項５】
前記記憶手段は、前記照明機器のリモコンコードとして、全灯、半灯、豆灯、消灯の各々のリモコン操作をダイレクトに行うためのダイレクトリモコンコードと、全灯、半灯、豆灯、消灯、全灯のようにサイクリックに切り替えるリモコン操作を行うための順送りリモコンコードと、点灯、消灯、点灯のようにサイクリックに切り替えるリモコン操作を行うためのＯＮ／ＯＦＦリモコンコードとをそれぞれ複数種類記憶し、
前記選定手段は、前記ダイレクトリモコンコード、順送りリモコンコードまたはＯＮ／ＯＦＦリモコンコードを選定する場合、それぞれに対応する個別の選定アルゴリズムに従い、前記記憶手段に記憶されている各リモコンコードから、操作入力に基づいてそのリモコンコードを選定する
ことを特徴とする請求項１記載の留守番リモコン。
【請求項６】
前記選定手段は、所定の操作入力毎に、前記記憶手段に記憶されている複数種類の順送りリモコンコードから、順送りリモコンコードを選定するための候補として一の順送りリモコンコードを、所定回数だけ重複させながら繰り返し順次指定し、現在指定されている順送りリモコンコードを選定する操作入力に基づいて、その現在指定されている順送りリモコンコードを選定し、
前記制御手段は、前記選定手段によって前記一の順送りリモコンコードが指定される毎にその現在指定されている順送りリモコンコードを、前記送信手段を通じて送信する
ことを特徴とする請求項５記載の留守番リモコン。
【請求項７】
前記選定手段は、１回の操作入力に応じて、前記記憶手段に記憶されている複数種類の順送りリモコンコードから、順送りリモコンコードを選定するための候補として一の順送りリモコンコードを指定し、現在指定されている順送りリモコンコードを選定する操作入力に基づいて、その現在指定されている順送りリモコンコードを選定し、
前記制御手段は、前記選定手段によって前記一の順送りリモコンコードが指定されると、その現在指定されている順送りリモコンコードを、所定回数だけ繰り返し前記送信手段を通じて送信する
ことを特徴とする請求項６記載の留守番リモコン。
【請求項８】
前記制御手段は、前記選定手段によって順送りリモコンコードが選定された場合、その順送りリモコンコードを選定するためにそれを指定したときに前記送信手段を通じて送信された回数により、その選定された順送りリモコンコードを、前記自動トリガ手段によって出力されるタイミング信号に応じて前記送信手段を通じて送信する場合の回数を変えることを特徴とする請求項６または７記載の留守番リモコン。
【請求項９】
前記制御手段は、前記選定手段によって順送りリモコンコードが選定された場合、その順送りリモコンコードを選定するためにそれを指定したときに前記送信手段を通じて送信された回数だけ、その選定された順送りリモコンコードを、前記自動トリガ手段によって出力されるタイミング信号に応じて前記送信手段を通じて繰り返し送信することを特徴とする請求項６または７記載の留守番リモコン。
【請求項１０】
前記選定手段での操作入力の手順は、ダイレクトリモコンコードを選定する方が順送りリモコンコードを選定する方よりも先になっていることを特徴とする請求項５から７のいずれかに記載の留守番リモコン。
【請求項１１】
前記記憶手段は、前記照明機器のリモコンコードとして、照明入のリモコン操作を行うためのリモコンコードと、照明切のリモコン操作を行うためのリモコンコードとをそれぞれ複数種類記憶し、
前記選定手段は、前記照明入および照明切のリモコン操作を行うための各リモコンコードのうち、一方のリモコンコードを選定した後、この選定したリモコンコードに応じて、残るもう一方のリモコンコードを選定するための候補を絞る
ことを特徴とする請求項１記載の留守番リモコン。
【請求項１２】
前記記憶手段は、前記照明機器のリモコンコードとして、照明入のリモコン操作を行うためのリモコンコードと、照明切のリモコン操作を行うためのリモコンコードとをそれぞれ複数種類記憶し、
前記選定手段は、前記照明入および照明切のリモコン操作を行うための各リモコンコードのうち、一方のリモコンコードを選定した後、この選定したリモコンコードに応じて、残るもう一方のリモコンコードを自動的に選定する
ことを特徴とする請求項１記載の留守番リモコン。
【請求項１３】
前記記憶手段は、前記映像機器のリモコンコードとして、前記映像機器の入／切のリモコン操作を行うための入／切リモコンコードを複数種類記憶し、
前記選定手段は、操作入力に基づいて、前記記憶手段に記憶されている複数種類の入／切リモコンコードから、候補としての一の入／切リモコンコードを指定し、現在指定されている入／切リモコンコードを選定する操作入力に基づいて、その現在指定されている入／切リモコンコードを選定し、
前記制御手段は、前記選定手段によって前記候補としての一の入／切リモコンコードが指定された場合、この入／切リモコンコードを、前記送信手段を通じて送信し、前記選定手段によって現在指定されている入／切リモコンコードが選定された場合、この入／切リモコンコードを、前記送信手段を通じて送信する
ことを特徴とする請求項１記載の留守番リモコン。
【請求項１４】
前記制御手段は、前記リモコン対応の照明機器、映像機器および音響機器の少なくとも一つの機器に対して、選定手段によってリモコンコードが選定されない場合、前記記憶手段に記憶されている各リモコンコードのうち、その機器に対して予め決められた特定機器用としてのリモコンコードを自動的に選定し、その特定機器用としてのリモコンコードを、前記自動トリガ手段によって出力されるタイミング信号に応じて前記送信手段を通じて送信することを特徴とする請求項１または２記載の留守番リモコン。
【請求項１５】
前記記憶手段は、前記照明機器のリモコンコードとして、照明入のリモコン操作を行うためのリモコンコードと、照明切のリモコン操作を行うためのリモコンコードとをそれぞれ複数種類記憶し、
前記選定手段は、前記照明入および照明切のリモコン操作を行うための各リモコンコードを選定するための選定モードにおいて、それら各リモコンコードのうち、一方のリモコンコードを選定した後は、もう一方のリモコンコードを選定しなければ、当該選定モードの終了を禁止する
ことを特徴とする請求項１または２記載の留守番リモコン。
【請求項１６】
前記記憶手段は、前記照明機器のリモコンコードとして、照明入のリモコン操作を行うためのリモコンコードと、照明切のリモコン操作を行うためのリモコンコードとをそれぞれ複数種類記憶し、
前記選定手段は、前記照明入および照明切のリモコン操作を行うための各リモコンコードのうち、双方のリモコンコードが選定された場合にのみそれら双方のリモコンコードを有効とする
ことを特徴とする請求項１または２記載の留守番リモコン。
【請求項１７】
リモコンコード選定中、留守番中、留守番待機／設定待機中の違いにより点滅パターンを変化させる表示手段をさらに備えることを特徴とする請求項１または２記載の留守番リモコン。
【発明の詳細な説明】
【０００１】
【発明の属する技術分野】
本発明は、リモコン対応の照明機器、映像機器および音響機器などを利用して留守番をする（留守時に在宅を装う）留守番リモコンに関するものである。
【０００２】
【従来の技術】
従来、防犯のために留守時の住宅や事務所等の屋内で在宅中と見せかけ、泥棒等不審者が侵入を諦めることを狙った防犯装置が種々開発されている。この種の防犯装置には、例えば人感センサおよび照明器具等を利用するものが存在している（特許文献１等参照）。また、簡易型としては、単純なタイマ式の照明リモコン装置がある。
【０００３】
【特許文献１】
特開平１０−２６０７０４号公報
【０００４】
【発明が解決しようとする課題】
しかしながら、人感センサおよび照明器具等を利用する従来の防犯装置では、不審者が侵入のために近づくか、侵入するまで動作しない。また、単純なタイマ式の照明リモコン装置では、毎日同じ時刻にＯＮ／ＯＦＦするため、在宅中と見せかけるには不自然となる。
【０００５】
本発明は、上記事情に鑑みてなされたものであり、より自然に在宅中であることを装って留守番をすることが可能となる留守番リモコンを提供することを目的とする。
【０００６】
【課題を解決するための手段】
上記課題を解決するための請求項１記載の発明の留守番リモコンは、リモコン対応の照明機器、映像機器および音響機器のうち少なくとも１つの機器のリモコンコードを、同一または対応するリモコン操作につき複数種類、記憶する記憶手段と、リモコンコードを送信するための送信手段と、タイミング信号を不規則に出力する自動トリガ手段と、前記記憶手段に記憶されている各リモコンコードから、操作入力に基づいてリモコンコードを選定するための選定手段と、この選定手段によって少なくとも１つのリモコンコードが選定された場合、その少なくとも１つのリモコンコードを、前記自動トリガ手段によって出力されるタイミング信号に応じて前記送信手段を通じて送信する制御手段とを備えることを特徴とする。
【０００７】
請求項２記載の発明の留守番リモコンは、リモコン対応の照明機器、映像機器および音響機器のうち少なくとも１つの機器のリモコンコードを記憶する記憶手段と、リモコンコードを送信するための送信手段と、タイミング信号を不規則に出力する自動トリガ手段と、外部からのリモコンコードを赤外線によるワイヤレスで受信するための受信手段と、この受信手段で受信された外部からのリモコンコードを前記記憶手段に記憶するほか、前記記憶手段に前記外部からのリモコンコードが少なくとも１つ記憶されている場合、その少なくとも１つのリモコンコードを、前記自動トリガ手段によって出力されるタイミング信号に応じて前記送信手段を通じて送信する制御手段とを備えることを特徴とする。
【０００８】
請求項３記載の発明の留守番リモコンは、リモコン対応の照明機器、映像機器および音響機器のうち少なくとも１つの機器のリモコンコードを、同一または対応するリモコン操作につき複数種類、記憶する記憶手段と、リモコンコードを送信するための送信手段と、タイミング信号を不規則に出力する自動トリガ手段と、この自動トリガ手段によって出力されるタイミング信号に応じて、前記記憶手段に記憶されている各リモコンコードを読み出して前記送信手段を通じて送信する制御手段とを備えることを特徴とする。
【０００９】
請求項４記載の発明は、請求項１記載の留守番リモコンにおいて、前記記憶手段は、前記照明機器のリモコンコードとして、照明入のリモコン操作を行うためのリモコンコードと、照明切のリモコン操作を行うためのリモコンコードとをそれぞれ複数種類記憶し、前記選定手段での操作入力の手順は、前記照明切のリモコン操作を行うためのリモコンコードを選定する方が前記照明入のリモコン操作を行うためのリモコンコードを選定する方よりも先になっていることを特徴とする。
【００１０】
請求項５記載の発明は、請求項１記載の留守番リモコンにおいて、前記記憶手段は、前記照明機器のリモコンコードとして、全灯、半灯、豆灯、消灯の各々のリモコン操作をダイレクトに行うためのダイレクトリモコンコードと、全灯、半灯、豆灯、消灯、全灯のようにサイクリックに切り替えるリモコン操作を行うための順送りリモコンコードと、点灯、消灯、点灯のようにサイクリックに切り替えるリモコン操作を行うためのＯＮ／ＯＦＦリモコンコードとをそれぞれ複数種類記憶し、前記選定手段は、前記ダイレクトリモコンコード、順送りリモコンコードまたはＯＮ／ＯＦＦリモコンコードを選定する場合、それぞれに対応する個別の選定アルゴリズムに従い、前記記憶手段に記憶されている各リモコンコードから、操作入力に基づいてそのリモコンコードを選定することを特徴とする。
【００１１】
請求項６記載の発明は、請求項５記載の留守番リモコンにおいて、前記選定手段は、所定の操作入力毎に、前記記憶手段に記憶されている複数種類の順送りリモコンコードから、順送りリモコンコードを選定するための候補として一の順送りリモコンコードを、所定回数だけ重複させながら繰り返し順次指定し、現在指定されている順送りリモコンコードを選定する操作入力に基づいて、その現在指定されている順送りリモコンコードを選定し、前記制御手段は、前記選定手段によって前記一の順送りリモコンコードが指定される毎にその現在指定されている順送りリモコンコードを、前記送信手段を通じて送信することを特徴とする。
【００１２】
請求項７記載の発明は、請求項６記載の留守番リモコンにおいて、前記選定手段は、１回の操作入力に応じて、前記記憶手段に記憶されている複数種類の順送りリモコンコードから、順送りリモコンコードを選定するための候補として一の順送りリモコンコードを指定し、現在指定されている順送りリモコンコードを選定する操作入力に基づいて、その現在指定されている順送りリモコンコードを選定し、前記制御手段は、前記選定手段によって前記一の順送りリモコンコードが指定されると、その現在指定されている順送りリモコンコードを、所定回数だけ繰り返し前記送信手段を通じて送信することを特徴とする。
【００１３】
請求項８記載の発明は、請求項６または７記載の留守番リモコンにおいて、前記制御手段は、前記選定手段によって順送りリモコンコードが選定された場合、その順送りリモコンコードを選定するためにそれを指定したときに前記送信手段を通じて送信された回数により、その選定された順送りリモコンコードを、前記自動トリガ手段によって出力されるタイミング信号に応じて前記送信手段を通じて送信する場合の回数を変えることを特徴とする。
【００１４】
請求項９記載の発明は、請求項６または７記載の留守番リモコンにおいて、前記制御手段は、前記選定手段によって順送りリモコンコードが選定された場合、その順送りリモコンコードを選定するためにそれを指定したときに前記送信手段を通じて送信された回数だけ、その選定された順送りリモコンコードを、前記自動トリガ手段によって出力されるタイミング信号に応じて前記送信手段を通じて繰り返し送信することを特徴とする。
【００１５】
請求項１０記載の発明は、請求項５から７のいずれかに記載の留守番リモコンにおいて、前記選定手段での操作入力の手順は、ダイレクトリモコンコードを選定する方が順送りリモコンコードを選定する方よりも先になっていることを特徴とする。
【００１６】
請求項１１記載の発明は、請求項１記載の留守番リモコンにおいて、前記記憶手段は、前記照明機器のリモコンコードとして、照明入のリモコン操作を行うためのリモコンコードと、照明切のリモコン操作を行うためのリモコンコードとをそれぞれ複数種類記憶し、前記選定手段は、前記照明入および照明切のリモコン操作を行うための各リモコンコードのうち、一方のリモコンコードを選定した後、この選定したリモコンコードに応じて、残るもう一方のリモコンコードを選定するための候補を絞ることを特徴とする。
【００１７】
請求項１２記載の発明は、請求項１記載の留守番リモコンにおいて、前記記憶手段は、前記照明機器のリモコンコードとして、照明入のリモコン操作を行うためのリモコンコードと、照明切のリモコン操作を行うためのリモコンコードとをそれぞれ複数種類記憶し、前記選定手段は、前記照明入および照明切のリモコン操作を行うための各リモコンコードのうち、一方のリモコンコードを選定した後、この選定したリモコンコードに応じて、残るもう一方のリモコンコードを自動的に選定することを特徴とする。
【００１８】
請求項１３記載の発明は、請求項１記載の留守番リモコンにおいて、前記記憶手段は、前記映像機器のリモコンコードとして、前記映像機器の入／切のリモコン操作を行うための入／切リモコンコードを複数種類記憶し、前記選定手段は、操作入力に基づいて、前記記憶手段に記憶されている複数種類の入／切リモコンコードから、候補としての一の入／切リモコンコードを指定し、現在指定されている入／切リモコンコードを選定する操作入力に基づいて、その現在指定されている入／切リモコンコードを選定し、前記制御手段は、前記選定手段によって前記候補としての一の入／切リモコンコードが指定された場合、この入／切リモコンコードを、前記送信手段を通じて送信し、前記選定手段によって現在指定されている入／切リモコンコードが選定された場合、この入／切リモコンコードを、前記送信手段を通じて送信することを特徴とする。
【００１９】
請求項１４記載の発明は、請求項１または２記載の留守番リモコンにおいて、前記制御手段は、前記リモコン対応の照明機器、映像機器および音響機器の少なくとも一つの機器に対して、選定手段によってリモコンコードが選定されない場合、前記記憶手段に記憶されている各リモコンコードのうち、その機器に対して予め決められた特定機器用としてのリモコンコードを自動的に選定し、その特定機器用としてのリモコンコードを、前記自動トリガ手段によって出力されるタイミング信号に応じて前記送信手段を通じて送信することを特徴とする。
【００２０】
請求項１５記載の発明は、請求項１または２記載の留守番リモコンにおいて、前記記憶手段は、前記照明機器のリモコンコードとして、照明入のリモコン操作を行うためのリモコンコードと、照明切のリモコン操作を行うためのリモコンコードとをそれぞれ複数種類記憶し、前記選定手段は、前記照明入および照明切のリモコン操作を行うための各リモコンコードを選定するための選定モードにおいて、それら各リモコンコードのうち、一方のリモコンコードを選定した後は、もう一方のリモコンコードを選定しなければ、当該選定モードの終了を禁止することを特徴とする。
【００２１】
請求項１６記載の発明は、請求項１または２記載の留守番リモコンにおいて、前記記憶手段は、前記照明機器のリモコンコードとして、照明入のリモコン操作を行うためのリモコンコードと、照明切のリモコン操作を行うためのリモコンコードとをそれぞれ複数種類記憶し、前記選定手段は、前記照明入および照明切のリモコン操作を行うための各リモコンコードのうち、双方のリモコンコードが選定された場合にのみそれら双方のリモコンコードを有効とすることを特徴とする。
【００２２】
請求項１７記載の発明は、請求項１または２記載の留守番リモコンにおいて、リモコンコード選定中、留守番中、留守番待機／設定待機中の違いにより点滅パターンを変化させる表示手段をさらに備えることを特徴とする。
【００２３】
【発明の実施の形態】
（第１実施形態）
図１は本発明による第１実施形態の留守番リモコンの構成図、図２は同留守番リモコンの使用例を示す図、図３は同留守番リモコンの外観図、図４はリモコンコードの分類図、図５，図６は同留守番リモコンの機能説明図である。
【００２４】
第１実施形態の留守番リモコン１は、図２に示すように、リモコン対応の照明機器２、映像機器（テレビ）３および音響機器など（図３の例では照明機器２および映像機器３）を利用して留守番をする（留守時に在宅を装う）ものである。なお、図２において、２１は照明機器２に付属のリモコン、３１は映像機器３に付属のリモコンである。
【００２５】
留守番リモコン１は、図３に示すように、ボディ１１およびカバー１２によりなるハウジングと、このハウジングの前面下部に上下方向にスライド可能に取り付けられるスライドカバー１３と、ハウジングの上側部に取り付けられる透光性カバー１４とにより構成されている。そして、電源入切用のスライドノブ１２０と、留守番開始用のボタン１２１と、窓部１２ａ〜１２ｃとがハウジングの前面となるカバー１２の前面上部に具備されている。一方、照明機器２のリモコンコード選定時に使用する入ボタン１２３および切ボタン１２４と、映像機器３のリモコンコード選定時に使用する入／切ボタン１２５と、各リモコンコード選定用の決定ボタン１２２とがカバー１２の前面下部に具備され、通常、スライドカバー１３によって閉塞されるようになっている。
【００２６】
このように機構的に構成される留守番リモコン１のハウジング内には、図１に示すようなリモコン回路部１００が収納されている。このリモコン回路部１００は、記憶部１０２と、送信部１０３と、自動トリガ部１０４と、選定手段としての設定操作部１０５と、確認操作部１０６と、制御部１０１とを備えている。
【００２７】
記憶部１０２は、例えば不揮発性の読書き可能な半導体メモリなどにより構成され、照明機器２および映像機器３のリモコンコードを、同一または対応するリモコン操作につき複数種類、記憶している。
【００２８】
ここで、照明機器２のリモコンコードとしては、照明機器２に対して、照明入（全灯、半灯）のリモコン操作を行うためのリモコンコードと、照明切（消灯、豆灯）のリモコン操作を行うためのリモコンコードとがそれぞれ複数種類記憶されている。より具体的には、図４に示すように、全灯、半灯、豆灯（図では「常夜灯」）、消灯の各々のリモコン操作をダイレクトに行うための個別のダイレクトリモコンコードと、全灯、半灯、豆灯、消灯、全灯のようにサイクリックに切り替えるリモコン操作を行うためのものであってそれぞれで同一の順送りリモコンコードと、点灯、消灯、点灯のようにサイクリックに切り替えるリモコン操作を行うためのものであってそれぞれで同一のＯＮ／ＯＦＦリモコンコードとがそれぞれ複数種類記憶されている。
【００２９】
また、映像機器３のリモコンコードとしては、映像機器３の入（「ＯＮ」）／切（「ＯＦＦ」）のリモコン操作を行うためのものであってそれぞれで同一の入／切リモコンコードが複数種類記憶されている。
【００３０】
図１に戻って、送信部１０３は、上記透光性カバー１４の内面側に設けられる発光ダイオードなどにより構成され、記憶部１０２から得られるリモコンコードを赤外線によるワイヤレスで送信するためのものである。
【００３１】
自動トリガ部１０４は、上記窓部１２ａの位置に設けられる明暗センサおよびランダムタイマなどにより構成され、タイミング信号を不規則に（例えば日々パターンを変えて）出力するものである。また、上記明暗センサは、後述の留守番モードにおいて、例えば、周囲の照度が予め設定された基準照度を超える場合、照明器具３を点灯（半灯）するときでもそれを消灯（豆灯）するために利用される。なお、自動トリガ部１０４は、制御部１０１とは別体のランダムタイマに限らず、計時機能を持つマイコンにより制御部１０１を構成し、そのマイコンの演算処理により不規則なタイミング（例えば日々変わる制御動作パターン）を生成する構成でもよい。要するに、本発明の自動トリガ手段は、制御手段とは異なる別体構成でも、あるいは一のマイコンによりなる一体構成でもよく、要するに、タイミング信号を不規則に（例えば日々パターンを変えて）出力するものであればよい。
【００３２】
設定操作部１０５は、入ボタン１２３、切ボタン１２４、入／切ボタン１２５、決定ボタン１２２およびこれらボタンに対する押操作に応じてそれぞれ変化する（例えばオンオフする）接点状態情報（図１では「入力信号」）を制御部１０１に出力する複数のスイッチなどにより構成され、制御部１０１と協調して、記憶部１０２に記憶されている各リモコンコードから、上記各ボタンに対する操作入力に基づいてリモコンコードを選定するためのものである。
【００３３】
より具体的には、入ボタン１２３、切ボタン１２４または入／切ボタン１２５に対する押操作入力に応じて、記憶部１０２に記憶されている各リモコンコードから、図５に示すように、選定するリモコンコードの候補として一のリモコンコードを指定し、現在指定されているリモコンコードを選定するための決定ボタン１２２に対する押操作入力に基づいて、その現在指定されているリモコンコードを選定する構成になっている。
【００３４】
また、各種リモコンコードのうち、順送りリモコンコードを選定する場合は、入ボタン１２３または切ボタン１２４に対する押操作入力毎に、記憶部１０２に記憶されている複数種類の順送りリモコンコードから、順送りリモコンコードを選定するための候補として一の順送りリモコンコードを、一通りの順送りに必要な回数だけ重複させながら繰り返し順次指定し、現在指定されている順送りリモコンコードを選定する操作入力に基づいて、その現在指定されている順送りリモコンコードを選定する構成がとられる。例えば、図５に示すように、ある種類の順送りリモコンコードがＡｎｅｘｔｃｈ１であり、一通りの順送りに、Ａｎｅｘｔｃｈ１，  Ａｎｅｘｔｃｈ１，  Ａｎｅｘｔｃｈ１のようにそのコードが３個必要となる場合、そのコードＡｎｅｘｔｃｈ１が３回重複しながら繰り返し順次指定されることになる。
【００３５】
図１に示す確認操作部１０６は、留守番開始用のボタン１２１およびこのボタン１２１に対する押操作に応じて変化する（例えばオンオフする）接点状態情報（図１では「確認信号」）を制御部１０１に出力するスイッチなどにより構成され、留守番を開始したり、あるいは留守番に利用する各機器を動作させて確認するためのものである。
【００３６】
また、図３に示すように、窓部１２ｂ，１２ｃにそれぞれ設けられるＬＥＤ１７１（図５では「確認スタートＬＥＤ」），ＬＥＤ１７２（「電池少ＬＥＤ」）などにより構成される表示部が具備される。
【００３７】
さらに、電池（図示せず）、および電源入切用のスライドノブ１２０のスライド操作に応じて接点状態が変化する（例えばオン／オフする）スライドスイッチ（図示せず）なども具備され、そのスライドスイッチが、図３に示した「入」側にスライドノブ１２０をスライドさせた場合の接点状態（例えばオン）になっているとき、電池から留守番リモコン１の各部に電力が供給されるように構成される。
【００３８】
図１に示す制御部１０１は、マイコンなどにより構成され、電源オン時に、留守番リモコン１、照明機器２および映像機器３により構成される留守番システム全般の制御などの処理を行う。例えば、上述した設定操作部１０５との協調制御のほか、各種モードへの移行および各モードでの各種制御などの処理が実行される。
【００３９】
すなわち、図５に示すように、切ボタン１２４に対する２秒以上の長押し操作入力に応じて、照明入切用のリモコン操作を行うためのリモコンコードを選定するモードである照明機器用選定モード（図では「照明設定」）に移行するとともに、照明切のリモコン操作を行うためのリモコンコードを選定するモードである照明切用選定モードに移行する処理が実行される。そして、照明機器用選定モード内の照明切用選定モードにおいて、決定ボタン１２２に対する押操作入力後、入ボタン１２３に対する長押し操作入力に応じて、照明入のリモコン操作を行うためのリモコンコードを選定するモードである照明入用選定モードに移行し、決定ボタン１２２に対する押操作入力により照明機器用選定モードを抜け出す処理が実行される。要するに、照明機器用選定モードでは、照明切のリモコン操作を行うためのリモコンコードを選定する方が照明入のリモコン操作を行うためのリモコンコードを選定する方よりも先になっている。
【００４０】
また、照明機器用選定モードでは、照明入および照明切のリモコン操作を行うための各リモコンコードのうち、双方のリモコンコードが選定された場合にのみそれら双方のリモコンコードを有効とするようになっているとともに、照明切用選定モードでリモコンコードを選定した後は、照明入用選定モードでリモコンコードを選定しなければ、当該照明機器用選定モードを抜け出すことができないようになっている。
【００４１】
さらに、照明切用選定モードまたは照明入用選定モードでは、図５，図６に示すように、各種類（図６では「メーカ」）毎に、照明切または入用のリモコン操作を行うためのリモコンコードを選定するべく、ダイレクトリモコンコード、ＯＮ／ＯＦＦリモコンコード、順送りリモコンコードの順に選定するように、それぞれに対応する個別の選定アルゴリズムが実行されるようになっている。また、図６に示す照明入用選定モードでは、半灯用のダイレクトリモコンコード、全灯用のダイレクトコードの順に選定するようになっている。
【００４２】
これに対し、入／切ボタン１２５に対する長押し操作入力に応じて、映像機器３の入／切のリモコン操作を行うための入／切リモコンコードを選定するモードである映像機器用選定モード（図５では「テレビ設定」）に移行する処理が実行される。なお、照明機器用選定モードおよび映像機器用選定モードは、互いに独立であり、どちらを先に実行させてもよいようになっている。
【００４３】
そして、上記各選定モードにおいて、設定操作部１０５によってリモコンコードが指定されると、その現在指定されているリモコンコードを、送信部１０３を通じて送信するとともに、ＬＥＤ１７１を所定時間点灯する処理が実行される。このとき、設定操作部１０５によって、順送りリモコンコードが指定され選定された場合、その順送りリモコンコードを選定するためにそれを指定したときに送信部１０３を通じて送信された回数を取得し、これをその順送りリモコンコードに対応付ける処理が実行される。この処理は、ダイレクトリモコンコードの場合には１回の送信でよいが、順送りリモコンコードの場合には、例えば３回送信する必要があるために設けられている。
【００４４】
また、照明切用選定モードにおいて、決定ボタン１２２に対する押操作入力によってリモコンコードが選定されると、ＬＥＤ１７１，１７２を短時間（図５では０．２５秒単位）で点滅する処理が実行される。これに対し、照明入用選定モードにおいて（電源オン時および例えば映像機器用選定モードも）、決定ボタン１２２に対する押操作入力によってリモコンコードが選定されると、ＬＥＤ１７１を上記より長めの時間（０．５秒単位）で点滅する処理が実行される。
【００４５】
また、照明機器用選定モードにおいて、照明切用選定モードで、照明切のリモコン操作を行うためのリモコンコードを選定した後、照明入用選定モードで、その選定したリモコンコードに応じて、照明入のリモコン操作を行うためのリモコンコードを選定するための候補を絞る処理が実行される。
【００４６】
さらに、映像機器用選定モードにおいて、設定操作部１０５によって候補としての一の入／切リモコンコードが指定された場合、この入／切リモコンコードを、送信部１０３を通じて送信し、設定操作部１０５によって現在指定されている入／切リモコンコードが選定された場合、この入／切リモコンコードを、送信部１０３を通じて送信する処理が実行される。
【００４７】
留守番開始用のボタン１２１に対する押操作入力に応じて、留守番モードに移行する処理が実行される。そして、留守番モードでは、設定操作部１０５によって少なくとも１つ（１組み）のリモコンコードが選定された場合、そのリモコンコードを、自動トリガ部１０４によって出力されるタイミング信号に応じて送信部１０３を通じて送信する処理が実行される。このとき、順送りリモコンコードを送信する場合、その順送りリモコンコードを選定するためにそれを指定したときに送信部１０３を通じて送信された回数だけ、その選定された順送りリモコンコードを、自動トリガ部１０４によって出力されるタイミング信号に応じて送信部１０３を通じて繰り返し送信する処理が実行される。
【００４８】
一方、照明機器２および映像機器３の少なくとも一つの機器に対して、設定操作部１０５によってリモコンコードが選定されない場合、記憶部１０２に記憶されている各リモコンコードのうち、その機器に対して予め決められた特定機器用としてのリモコンコードを自動的に選定し、留守番モードにおいて、その特定機器用としてのリモコンコードを、自動トリガ部１０４によって出力されるタイミング信号に応じて送信部１０３を通じて送信する処理が実行される。
【００４９】
次に、上記留守番システムの動作について説明する。照明機器２および映像機器３の双方に付属のリモコン２１，３１が、ともに特定機器用としてのリモコンコードに対応していれば、リモコンコードを選定することなく、留守番システムを動作させることができる。外出時に、照明機器２を点灯（半灯）し、映像機器３をつける。そして、それら照明機器２および映像機器３のリモコン操作可能範囲内（例えばテレビ前方１〜２ｍ）に留守番リモコン１を置き、電源入（オン）にすると、ＬＥＤ１７１が点滅するとともに、特定機器用としての照明機器および映像機器のリモコンコードが自動的に選定される。この後、留守番開始用のボタン１２１を押操作すると、留守番モードに移行し、特定機器としての照明機器および映像機器のリモコンコードが、自動トリガ部１０４によって出力されるタイミング信号に応じて送信部１０３から赤外線によるワイヤレスで送信される。この場合、点灯（半灯）および電源オン状態から留守番を開始するので、照明機器にあっては、第１回目は消灯（豆灯）、第２回目は点灯（半灯）、第３回目は消灯（豆灯）、…となるように、そして映像機器にあっては、第１回目は電源オフ状態、第２回目は電源オン状態、第３回目は電源オフ状態、…となるように、リモコンコードが送信されることになる。これにより、特定機器用としての照明機器２および映像機器３が日々ワンパターンとならないように動作する。なお、留守番開始用のボタン１２１を押操作した後は、照明機器２および映像機器３の電源切替りにより設置場所が適切であることや、送信信号に異常がないことを確認し外出する。そして、帰宅後は留守番リモコン１を電源切（オフ）にする。
【００５０】
これに対し、照明機器２および映像機器３の少なくとも一方に付属のリモコンが、特定機器用としてのリモコンコードに対応していなければ、照明機器２および映像機器３の双方を留守番に利用する場合、上記少なくとも一方の機器に対して設定操作部１０５によってリモコンコードを選定する必要がある。
【００５１】
照明機器２に対してリモコンコードを選定する場合、先ず、照明機器２を照明入状態にする。続いて、図５に示すように、留守番リモコン１を電源オンにし、ＬＥＤ１７１が点滅するのを確認した後、切ボタン１２４を長押しして、照明機器用選定モード内の照明切用選定モードに入る。この後、切ボタン１２４を押す度に、ＬＥＤ１７１が所定時間点灯し、この間に、記憶部１０２に記憶されている照明機器用の各リモコンコードから、一のリモコンコードが順次読み出されて送信部１０３から赤外線によるワイヤレスで送信されるので、照明機器２が照明切状態になるまで切ボタン１２４を押す操作を繰り返す。そして、照明機器２が照明切状態になると（ｔ１）、決定ボタン１２２を押して現在指定されているリモコンコード（図５では”Ａｎｅｘｔｃｈ２”）を選定し、そのリモコンコードが選定されたことをＬＥＤ１７１，１７２の点滅により確認する。このとき、順送りリモコンコードが指定され選定された場合、その順送りリモコンコードを選定するためにそれを指定したときに送信部１０３を通じて送信された回数（図５の例では３回）が取得され、その順送りリモコンコードに対応付けられる。ここで、図５の例における回数３は、照明機器２を点灯から消灯に切り替えるために必要となるコードＡｎｅｘｔｃｈ２の個数に対応している。
【００５２】
この後、切ボタン１２４を長押しして、照明機器用選定モード内の照明入用選定モードに入る。この場合、上記選定したリモコンコードに応じて、照明入のリモコン操作を行うためのリモコンコードを選定するための候補が絞られる。図５の例では、照明切用選定モードでのＡｎｅｘｔｃｈ２，  Ａｎｅｘｔｃｈ２，  Ａｎｅｘｔｃｈ２に対応するリモコンコードに絞られている。続いて、入ボタン１２３を押す度に、ＬＥＤ１７１が所定時間点灯し、この間に、記憶部１０２に記憶された上記候補の各リモコンコードから、一のリモコンコードが順次読み出されて送信部１０３から送信されるので、照明機器２が照明入状態になるまで入ボタン１２３を押す操作を繰り返す。そして、照明機器２が照明入状態になると（ｔ２）、決定ボタン１２２を押して現在指定されているリモコンコードを選定し、そのリモコンコードが選定されたことをＬＥＤ１７１の点滅により確認する。このとき、順送りリモコンコードが指定され選定された場合、その順送りリモコンコードを選定するためにそれを指定したときに送信部１０３を通じて送信された回数が取得され、その順送りリモコンコードに対応付けられる。
【００５３】
これにより、照明機器用選定モードから抜けだし、照明機器２に対するリモコンコードの選定が完了する。
【００５４】
映像機器３に対してリモコンコードを選定する場合、先ず、映像機器３を電源オン状態にする。続いて（留守番リモコン１を電源オンにし、ＬＥＤ１７１が点滅するのを確認した後）、入／切ボタン１２５を長押しして、映像機器用選定モードに入る。この後、入／切ボタン１２５を押す度に、ＬＥＤ１７１が所定時間点灯し、この間に、記憶部１０２に記憶されている映像機器用の各リモコンコードから、一のリモコンコードが順次読み出されて送信部１０３から送信されるので、映像機器３が電源オフ状態になるまで入／切ボタン１２５を押す操作を繰り返す。そして、映像機器３が電源オフ状態になると（ｔ３）、決定ボタン１２２を押して現在指定されているリモコンコード（図５では  ”ｃ”）を選定し、そのリモコンコードが選定されたことを例えばＬＥＤ１７１の点滅により確認する。
【００５５】
これにより、映像機器用選定モードから抜けだし、映像機器３に対するリモコンコードの選定が完了する。
【００５６】
このようにして照明機器２および映像機器３の双方を留守番に利用することができるようになれば、そのまま外出することができる。そして、帰宅後は留守番リモコン１を電源切（オフ）にする。
【００５７】
また後日、外出する時には、照明機器２を点灯（半灯）し、映像機器３をつける。そして、それら照明機器２および映像機器３のリモコン操作可能範囲内に留守番リモコン１を置き、電源入にして留守番開始用のボタン１２１を押操作すると、留守番モードに移行し、照明機器２および映像機器３の選定したリモコンコードが、自動トリガ部１０４によって出力されるタイミング信号に応じて送信部１０３から赤外線によるワイヤレスで送信される。このとき、選定したリモコンコードが順送りリモコンコードであれば、これに対応付けられた回数だけ繰り返し送信される。これにより、照明機器２および映像機器３が日々ワンパターンとならないように動作する。
【００５８】
以上、第１実施形態によれば、不規則に、例えば日々パターンを変えて出力されるタイミング信号に応じて、リモコンコードが赤外線によるワイヤレスで送信されるので、そのリモコンコードに対応する機器が日々ワンパターンとならないように動作するから、換言すれば日々何時何分何秒というようにきっかり動作することがないから、より自然に在宅中であることを装って留守番をすることが可能となる。また、同一または対応するリモコン操作につき各社各様のリモコンコードを複数種類、記憶部１０２に記憶しているので、その中から利用者の機器、例えば購入済みの機器に合うリモコンコードを設定操作部１０５で予め選定することが可能となり、これにより、その利用者の機器を留守番に利用することが可能となる。
【００５９】
また、照明切のリモコン操作を行うためのリモコンコードを選定する方が照明入のリモコン操作を行うためのリモコンコードを選定する方よりも先になっているので、照明機器の点灯中に、照明切のリモコン操作を行うためのリモコンコードを選定することができ、その後の照明機器の消灯中に、照明入のリモコン操作を行うためのリモコンコードを選定する場合、照明切のリモコン操作を行うためのリモコンコードを選定し終えたことにより、照明入のリモコン操作を行うためのリモコンコードを容易に選定することができるようになる。
【００６０】
また、ダイレクトリモコンコード、順送りリモコンコードまたはＯＮ／ＯＦＦリモコンコードから、リモコンコードを選定することができるため、各社各様のリモコンコードで動作する各種照明機器のいずれでも、そのリモコンコードが記憶部１０２に予め記憶されている限り、留守番に利用することが可能となる。また、選定操作数を減らすことが可能になる。
【００６１】
また、設定操作部１０５によって一の順送りリモコンコードが指定される毎にその現在指定されている順送りリモコンコードが、送信部１０３を通じて送信されるので、何番目の順送りリモコンコードで機器の動作状態を切り替えることができるかを、そのリモコンコードの選定前に確認することができる。例えば、照明器具３が全灯から半灯および豆灯を経て消灯に切り替わる状態を逐一確認することができる。
【００６２】
また、設定操作部１０５によって順送りリモコンコードが選定された場合、その順送りリモコンコードを選定するためにそれを指定したときに送信部１０３を通じて送信された回数により、その選定された順送りリモコンコードを、自動トリガ部１０４によって出力されるタイミング信号に応じて送信部１０３を通じて送信する場合の回数を変えるので、具体的にはその回数だけ繰り返し送信するので、順送りリモコンコードで各機器の状態をダイレクトコードと同様に切り替えることが可能となる。また、順送りリモコンコードとＯＮ／ＯＦＦリモコンコードが同じ照明機器であっても、それぞれのリモコンコードに合わせてその照明機器を留守番に利用することが可能になる。
【００６３】
また、ダイレクトリモコンコードを選定する方が順送りリモコンコードを選定する方よりも先になっているので、設定操作部１０５によってリモコンコードを選定するに際し、ダイレクトリモコンコードは１回送信するだけでよいので、設定操作部１０５によってリモコンコードを選定するために必要な操作入力の平均回数を減らすことができる。また、順送りリモコンコードを使用する照明機器でもダイレクトリモコンコードを使用することができる場合が多いので、ダイレクトリモコンコードを優先的に選定する方が送信回数が少ない分、確実な操作が可能になる。
【００６４】
また、照明入および照明切のリモコン操作を行うための各リモコンコードのうち、一方のリモコンコードを選定した後、この選定したリモコンコードに応じて、残るもう一方のリモコンコードを選定するための候補を絞るので、選定時の操作入力が飛躍的に簡単になる。
【００６５】
また、映像機器用選定モードにおいて、設定操作部１０５によって候補としての一の入／切リモコンコードが指定された場合、この入／切リモコンコードを、送信部１０３を通じて送信し、設定操作部１０５によって現在指定されている入／切リモコンコードが選定された場合、この入／切リモコンコードを、送信部１０３を通じて送信するので、入／切リモコンコードを選定し終えると、映像機器３の電源が選定中に切状態になった後、選定完了後に再度入状態に復帰するので、そのまま留守番を開始することができる。
【００６６】
また、リモコン対応の照明機器、映像機器および音響機器の少なくとも一つの機器に対して、設定操作部１０５によってリモコンコードが選定されない場合、記憶部１０２に記憶されている各リモコンコードのうち、その機器に対して予め決められた特定機器用としてのリモコンコードを自動的に選定し、その特定機器用としてのリモコンコードを、自動トリガ部１０４によって出力されるタイミング信号に応じて送信部１０３を通じて送信するので、特定の照明機器、映像機器または音響機器を所有する利用者宅では、その機器に対するリモコンコードの選定のための手間を省くことができる。
【００６７】
また、照明機器用選定モードでは、照明入および照明切のリモコン操作を行うための各リモコンコードのうち、双方のリモコンコードが選定された場合にのみそれら双方のリモコンコードを有効とするようになっているとともに、照明切用選定モードでリモコンコードを選定した後は、照明入用選定モードでリモコンコードを選定しなければ、当該照明機器用選定モードを抜け出すことができないようになっているので、照明入および照明切のリモコン操作を行うための各リモコンコードのうち、一方のリモコンコードのみが選定された場合にその一方のリモコンコードを有効にすることにより生じる留守番時の動作不良を防止することができる。
【００６８】
さらに、リモコンコード選定中、留守番中、留守番待機／設定待機中の違いにより点滅パターンを変化させるＬＥＤ１７１，１７２を備えるので、リモコンコードの選定は一度行うとその後ほとんど行うことがないため、ＬＥＤ１７１，１７２による点滅パターンで各状態を示すようにすることにより、コストダウンを図ることができ、またデザインをシンプルに見栄え良くすることができる。
【００６９】
なお、第１実施形態では、記憶部１０２は、例えば不揮発性の読書き可能な半導体メモリなどにより構成されるとしたが、電源オフ時でも電池から制御部１０１に電力を供給し、設定操作部１０５によって選定されたリモコンコードおよび回数を記憶部１０２ではなく制御部１０１内のメモリ（例えばＲＡＭ）に保持する構成にすれば、記憶部１０２はＲＯＭなどでも構わない。ここに、本発明の記憶手段は、記憶部１０２によりなる構成に限らず、記憶部１０２および制御部１０１内のメモリなどによりなる構成でもよい。
【００７０】
また、図６について補説すると、「入」設定時の優先順位は、「切」設定と同メーカ同種、「切」設定と同メーカ異種、「切」設定と異メーカの順に優先度が低くなる。ＯＮ／ＯＦＦ、順送り選定時による選定内容は、「切」設定時では、１度目：ＯＮ／ＯＦＦ→１度送信（ＯＮ→ＯＦＦ）、２度目：順送り→２度送信（全灯→半灯→豆灯、半灯→豆灯→消灯）、３度目：順送り→３度送信（全灯→半灯→豆灯→消灯）となる。一方、「入」設定時では、１度目：１度送信（ＯＦＦ→ＯＮ、消灯→全灯）、２度目：２度送信（豆灯→消灯→全灯、消灯→全灯→半灯）、３度目：３度送信（豆灯→消灯→全灯→半灯）となる。
【００７１】
（第２実施形態）
本発明による第２実施形態の留守番リモコンは、第１実施形態とほぼ同様に構成されてなり、設定操作部が、入ボタン１２３または切ボタン１２４に対する１回の押操作入力に応じて、記憶部１０２に記憶されている複数種類の順送りリモコンコードから、順送りリモコンコードを選定するための候補として一の順送りリモコンコードを指定し、現在指定されている順送りリモコンコードを選定する操作入力に基づいて、その現在指定されている順送りリモコンコードを選定し、制御部が、上記設定操作部によって上記一の順送りリモコンコードが指定されると、その現在指定されている順送りリモコンコードを、一通りの順送りに必要な回数だけ繰り返し送信部１０３を通じて送信することを特徴とする。この第２実施形態によれば、順送りリモコンコードを選定するための操作入力の回数を減らすことができる。
【００７２】
（第３実施形態）
本発明による第３実施形態の留守番リモコンは、第１実施形態とほぼ同様に構成されてなり、設定操作部が、制御部と協調して、照明入および照明切のリモコン操作を行うための各リモコンコードのうち、一方のリモコンコードを選定した後、この選定したリモコンコードに応じて、残るもう一方のリモコンコードを自動的に選定することを特徴とする。例えば、先に選定した照明切のリモコン操作を行うためのリモコンコードがＡ社のものであれば、そのＡ社の照明入のリモコン操作を行うためのリモコンコードを自動的に設定するように構成される。この第３実施形態によれば、選定時の操作入力が飛躍的に簡単になる。
【００７３】
（第４実施形態）
図７は本発明による第４実施形態の留守番リモコンの構成図である。
【００７４】
第４実施形態の留守番リモコンは、第１実施形態との相違点として、リモコン回路部１００に代えて、図７に示すリモコン回路部１００Ａを備えている。
【００７５】
リモコン回路部１００Ａは、送信部１０３と、自動トリガ部１０４とをリモコン回路部１００と同様に備えているほか、リモコン回路部１００との相違点として、リモコン対応の照明機器、映像機器および音響機器のうち少なくとも１つの機器（図７では照明機器２および映像機器３）のリモコンコードを記憶する記憶部１０２Ａと、外部（リモコン２１，３１）からのリモコンコードを赤外線によるワイヤレスで受信するための受信部１０８と、この受信部１０８で受信された外部からのリモコンコードを記憶部１０２Ａに記憶するほか、記憶部１０２Ａに外部からのリモコンコードが少なくとも１つ記憶されている場合、その少なくとも１つのリモコンコードを、自動トリガ部１０４によって出力されるタイミング信号に応じて送信部１０３を通じて送信する制御部１０１Ａとを備えている。
【００７６】
この第４実施形態によれば、不規則に、例えば日々パターンを変えて出力されるタイミング信号に応じて、リモコンコードが赤外線によるワイヤレスで送信されるので、そのリモコンコードに対応する機器が日々ワンパターンとならないように動作するから、換言すれば日々何時何分何秒というようにきっかり動作することがないから、より自然に在宅中であることを装って留守番をすることが可能となる。
【００７７】
また、例えば、利用者が所有するリモコン対応の機器のリモコンを使って、そのリモコンコードを送信して受信部１０８で受信するようにすれば、そのリモコンコードが記憶部１０２Ａに記憶された後、自動トリガ部１０４からのタイミング信号に応じて送信部１０３から送信されるようにできる。これにより、対応機種に限定されないリモコンコードの設定が可能となる。
【００７８】
なお、第４実施形態の受信部１０８と、制御部１０１Ａの処理機能とを第１実施形態の留守番リモコンにさらに具備するように構成してもよい。
【００７９】
（第５実施形態）
図８は本発明による第５実施形態の留守番リモコンの構成図である。
【００８０】
第５実施形態の留守番リモコンは、第１実施形態との相違点として、リモコン回路部１００に代えて、図８に示すリモコン回路部１００Ｂを備えている。
【００８１】
リモコン回路部１００Ｂは、記憶部１０２と、送信部１０３と、自動トリガ部１０４とをリモコン回路部１００と同様に備えているほか、リモコン回路部１００との相違点として、自動トリガ部１０４によって出力されるタイミング信号に応じて、記憶部１０２に記憶されている各リモコンコードを読み出して送信部１０３を通じて送信する制御部１０１Ｂを備えている。
【００８２】
この第５実施形態によれば、不規則に、例えば日々パターンを変えて出力されるタイミング信号に応じて、リモコンコードが赤外線によるワイヤレスで送信されるので、そのリモコンコードに対応する機器が日々ワンパターンとならないように動作するから、換言すれば日々何時何分何秒というようにきっかり動作することがないから、より自然に在宅中であることを装って留守番をすることが可能となる。
【００８３】
また、同一または対応するリモコン操作につき各社各様のリモコンコードを複数種類、記憶部１０２に記憶しているので、記憶部１０２に記憶されている各リモコンコードがワイヤレスで一斉に送信されることになるから、利用者が所有する例えば購入済みの機器のリモコンコードを設定しなくても、その利用者が所有する機器を留守番に利用することが可能となる。
【００８４】
なお、第５実施形態の制御部１０１Ｂの処理機能を第１実施形態の留守番リモコンの制御部１０１にさらに付加するように構成してもよい。
【００８５】
【発明の効果】
以上のことから明らかなように、請求項１記載の発明の留守番リモコンは、リモコン対応の照明機器、映像機器および音響機器のうち少なくとも１つの機器のリモコンコードを、同一または対応するリモコン操作につき複数種類、記憶する記憶手段と、リモコンコードを送信するための送信手段と、タイミング信号を不規則に出力する自動トリガ手段と、前記記憶手段に記憶されている各リモコンコードから、操作入力に基づいてリモコンコードを選定するための選定手段と、この選定手段によって少なくとも１つのリモコンコードが選定された場合、その少なくとも１つのリモコンコードを、前記自動トリガ手段によって出力されるタイミング信号に応じて前記送信手段を通じて送信する制御手段とを備えるので、不規則に、例えば日々パターンを変えて出力されるタイミング信号に応じて、リモコンコードが例えば赤外線などによりワイヤレスで送信されるようにすることにより、そのリモコンコードに対応する機器が日々ワンパターンとならないように動作するから、換言すれば日々何時何分何秒というようにきっかり動作することがないから、より自然に在宅中であることを装って留守番をすることが可能となる。また、例えば、同一または対応するリモコン操作につき各社各様のリモコンコードを複数種類、記憶手段に記憶しておくことにより、その中から利用者の機器、例えば購入済みの機器に合うリモコンコードを選定手段で予め選定することが可能となり、これにより、その利用者の機器を留守番に利用することが可能となる。
【００８６】
請求項２記載の発明の留守番リモコンは、リモコン対応の照明機器、映像機器および音響機器のうち少なくとも１つの機器のリモコンコードを記憶する記憶手段と、リモコンコードを送信するための送信手段と、タイミング信号を不規則に出力する自動トリガ手段と、外部からのリモコンコードを赤外線によるワイヤレスで受信するための受信手段と、この受信手段で受信された外部からのリモコンコードを前記記憶手段に記憶するほか、前記記憶手段に前記外部からのリモコンコードが少なくとも１つ記憶されている場合、その少なくとも１つのリモコンコードを、前記自動トリガ手段によって出力されるタイミング信号に応じて前記送信手段を通じて送信する制御手段とを備えるので、不規則に、例えば日々パターンを変えて出力されるタイミング信号に応じて、リモコンコードが例えば赤外線などによりワイヤレスで送信されるようにすることにより、そのリモコンコードに対応する機器が日々ワンパターンとならないように動作するから、換言すれば日々何時何分何秒というようにきっかり動作することがないから、より自然に在宅中であることを装って留守番をすることが可能となる。また、例えば、利用者が所有するリモコン対応の機器のリモコンを使って、そのリモコンコードを送信して受信手段で受信するようにすれば、そのリモコンコードが記憶手段に記憶された後、自動トリガ手段からのタイミング信号に応じて送信手段から送信されるようにできる。これにより、対応機種に限定されないリモコンコードの設定が可能となる。
【００８７】
請求項３記載の発明の留守番リモコンは、リモコン対応の照明機器、映像機器および音響機器のうち少なくとも１つの機器のリモコンコードを、同一または対応するリモコン操作につき複数種類、記憶する記憶手段と、リモコンコードを送信するための送信手段と、タイミング信号を不規則に出力する自動トリガ手段と、この自動トリガ手段によって出力されるタイミング信号に応じて、前記記憶手段に記憶されている各リモコンコードを読み出して前記送信手段を通じて送信する制御手段とを備えるので、不規則に、例えば日々パターンを変えて出力されるタイミング信号に応じて、リモコンコードが例えば赤外線などによりワイヤレスで送信されるようにすることにより、そのリモコンコードに対応する機器が日々ワンパターンとならないように動作するから、換言すれば日々何時何分何秒というようにきっかり動作することがないから、より自然に在宅中であることを装って留守番をすることが可能となる。また、例えば、同一または対応するリモコン操作につき各社各様のリモコンコードを複数種類、記憶手段に記憶しておくことにより、記憶手段に記憶されている各リモコンコードが例えばワイヤレスで一斉に送信されることになるから、利用者が所有する例えば購入済みの機器のリモコンコードを設定しなくても、その利用者が所有する機器を留守番に利用することが可能となる。
【００８８】
請求項４記載の発明は、請求項１記載の留守番リモコンにおいて、前記記憶手段は、前記照明機器のリモコンコードとして、照明入のリモコン操作を行うためのリモコンコードと、照明切のリモコン操作を行うためのリモコンコードとをそれぞれ複数種類記憶し、前記選定手段での操作入力の手順は、前記照明切のリモコン操作を行うためのリモコンコードを選定する方が前記照明入のリモコン操作を行うためのリモコンコードを選定する方よりも先になっているので、照明機器の点灯中に、照明切のリモコン操作を行うためのリモコンコードを選定することができ、その後の照明機器の消灯中に、照明入のリモコン操作を行うためのリモコンコードを選定する場合、照明切のリモコン操作を行うためのリモコンコードを選定し終えたことにより、照明入のリモコン操作を行うためのリモコンコードを容易に選定することができるようになる。
【００８９】
請求項５記載の発明は、請求項１記載の留守番リモコンにおいて、前記記憶手段は、前記照明機器のリモコンコードとして、全灯、半灯、豆灯、消灯の各々のリモコン操作をダイレクトに行うためのダイレクトリモコンコードと、全灯、半灯、豆灯、消灯、全灯のようにサイクリックに切り替えるリモコン操作を行うための順送りリモコンコードと、点灯、消灯、点灯のようにサイクリックに切り替えるリモコン操作を行うためのＯＮ／ＯＦＦリモコンコードとをそれぞれ複数種類記憶し、前記選定手段は、前記ダイレクトリモコンコード、順送りリモコンコードまたはＯＮ／ＯＦＦリモコンコードを選定する場合、それぞれに対応する個別の選定アルゴリズムに従い、前記記憶手段に記憶されている各リモコンコードから、操作入力に基づいてそのリモコンコードを選定するので、ダイレクトリモコンコード、順送りリモコンコードまたはＯＮ／ＯＦＦリモコンコードから、リモコンコードを選定することができるため、各社各様のリモコンコードで動作する各種照明機器のいずれでも、そのリモコンコードが記憶手段に予め記憶されている限り、留守番に利用することが可能となる。
【００９０】
請求項６記載の発明は、請求項５記載の留守番リモコンにおいて、前記選定手段は、所定の操作入力毎に、前記記憶手段に記憶されている複数種類の順送りリモコンコードから、順送りリモコンコードを選定するための候補として一の順送りリモコンコードを、所定回数だけ重複させながら繰り返し順次指定し、現在指定されている順送りリモコンコードを選定する操作入力に基づいて、その現在指定されている順送りリモコンコードを選定し、前記制御手段は、前記選定手段によって前記一の順送りリモコンコードが指定される毎にその現在指定されている順送りリモコンコードを、前記送信手段を通じて送信するので、何番目の順送りリモコンコードで機器の動作状態を切り替えることができるかを、そのリモコンコードの選定前に確認することができる。
【００９１】
請求項７記載の発明は、請求項６記載の留守番リモコンにおいて、前記選定手段は、１回の操作入力に応じて、前記記憶手段に記憶されている複数種類の順送りリモコンコードから、順送りリモコンコードを選定するための候補として一の順送りリモコンコードを指定し、現在指定されている順送りリモコンコードを選定する操作入力に基づいて、その現在指定されている順送りリモコンコードを選定し、前記制御手段は、前記選定手段によって前記一の順送りリモコンコードが指定されると、その現在指定されている順送りリモコンコードを、所定回数だけ繰り返し前記送信手段を通じて送信するので、順送りリモコンコードを選定するための操作入力の回数を減らすことができる。
【００９２】
請求項８記載の発明は、請求項６または７記載の留守番リモコンにおいて、前記制御手段は、前記選定手段によって順送りリモコンコードが選定された場合、その順送りリモコンコードを選定するためにそれを指定したときに前記送信手段を通じて送信された回数により、その選定された順送りリモコンコードを、前記自動トリガ手段によって出力されるタイミング信号に応じて前記送信手段を通じて送信する場合の回数を変えるので、順送りリモコンコードで各機器の状態をダイレクトコードと同様に切り替えることが可能となる。また、順送りリモコンコードとＯＮ／ＯＦＦリモコンコードが同じ照明機器であっても、それぞれのリモコンコードに合わせてその照明機器を留守番に利用することが可能になる。例えば、順送りリモコンコードが選定されるに際して、送信手段を通じて送信された回数が１回であったとすれば、上記選定された順送りリモコンコードを、点灯を消灯に切り替えるＯＮ／ＯＦＦリモコンコードであるとし、このＯＮ／ＯＦＦリモコンコードをタイミング信号に応じて送信手段を通じて１回送信するようにすれば、点灯を消灯に切り替えることができる。これに対し、送信手段を通じて送信された回数が２回以上であったとすれば、上記選定された順送りリモコンコードがタイミング信号に応じて送信手段を通じてその回数送信されるようにすれば、全灯から半灯を経て豆灯に、半灯から豆灯を経て消灯に、全灯から半灯および豆灯を経て消灯に、あるいはその他の順送りで、切り替えることができる。
【００９３】
請求項９記載の発明は、請求項６または７記載の留守番リモコンにおいて、前記制御手段は、前記選定手段によって順送りリモコンコードが選定された場合、その順送りリモコンコードを選定するためにそれを指定したときに前記送信手段を通じて送信された回数だけ、その選定された順送りリモコンコードを、前記自動トリガ手段によって出力されるタイミング信号に応じて前記送信手段を通じて繰り返し送信するので、順送りリモコンコードで各機器の状態をダイレクトコードと同様に切り替えることが可能となる。例えば、送信手段を通じて送信された回数が２回であったとすれば、全灯から半灯を経て豆灯にまたは半灯から豆灯を経て消灯に切り替えることができる。また、送信手段を通じて送信された回数が３回であったとすれば、全灯から半灯および豆灯を経て消灯に切り替えることができる。
【００９４】
請求項１０記載の発明は、請求項５から７のいずれかに記載の留守番リモコンにおいて、前記選定手段での操作入力の手順は、ダイレクトリモコンコードを選定する方が順送りリモコンコードを選定する方よりも先になっているので、選定手段によってリモコンコードを選定するに際し、ダイレクトリモコンコードは１回送信するだけでよいので、選定手段によってリモコンコードを選定するために必要な操作入力の平均回数を減らすことができる。また、順送りリモコンコードを使用する照明機器でもダイレクトリモコンコードを使用することができる場合が多いので、ダイレクトリモコンコードを優先的に選定する方が送信回数が少ない分、確実な操作が可能になる。
【００９５】
請求項１１記載の発明は、請求項１記載の留守番リモコンにおいて、前記記憶手段は、前記照明機器のリモコンコードとして、照明入のリモコン操作を行うためのリモコンコードと、照明切のリモコン操作を行うためのリモコンコードとをそれぞれ複数種類記憶し、前記選定手段は、前記照明入および照明切のリモコン操作を行うための各リモコンコードのうち、一方のリモコンコードを選定した後、この選定したリモコンコードに応じて、残るもう一方のリモコンコードを選定するための候補を絞るので、例えば、先に選定したリモコンコードに対応するメーカのリモコンコードに、残るもう一方のリモコンコードを選定するための候補を絞ることにより、選定時の操作入力が飛躍的に簡単になる。
【００９６】
請求項１２記載の発明は、請求項１記載の留守番リモコンにおいて、前記記憶手段は、前記照明機器のリモコンコードとして、照明入のリモコン操作を行うためのリモコンコードと、照明切のリモコン操作を行うためのリモコンコードとをそれぞれ複数種類記憶し、前記選定手段は、前記照明入および照明切のリモコン操作を行うための各リモコンコードのうち、一方のリモコンコードを選定した後、この選定したリモコンコードに応じて、残るもう一方のリモコンコードを自動的に選定するので、例えば、先に選定した照明切のリモコン操作を行うためのリモコンコードがＡ社のものであれば、そのＡ社の照明入のリモコン操作を行うためのリモコンコードが自動的に設定されるようになり、選定時の操作入力が飛躍的に簡単になる。
【００９７】
請求項１３記載の発明は、請求項１記載の留守番リモコンにおいて、前記記憶手段は、前記映像機器のリモコンコードとして、前記映像機器の入／切のリモコン操作を行うための入／切リモコンコードを複数種類記憶し、前記選定手段は、操作入力に基づいて、前記記憶手段に記憶されている複数種類の入／切リモコンコードから、候補としての一の入／切リモコンコードを指定し、現在指定されている入／切リモコンコードを選定する操作入力に基づいて、その現在指定されている入／切リモコンコードを選定し、前記制御手段は、前記選定手段によって前記候補としての一の入／切リモコンコードが指定された場合、この入／切リモコンコードを、前記送信手段を通じて送信し、前記選定手段によって現在指定されている入／切リモコンコードが選定された場合、この入／切リモコンコードを、前記送信手段を通じて送信するので、例えば、映像機器の電源が入状態である場合に、入／切リモコンコードを選定し終えると、映像機器の電源が選定中に切状態になった後、選定完了後に再度入状態に復帰するので、そのまま留守番を開始することができる。
【００９８】
請求項１４記載の発明は、請求項１または２記載の留守番リモコンにおいて、前記制御手段は、前記リモコン対応の照明機器、映像機器および音響機器の少なくとも一つの機器に対して、選定手段によってリモコンコードが選定されない場合、前記記憶手段に記憶されている各リモコンコードのうち、その機器に対して予め決められた特定機器用としてのリモコンコードを自動的に選定し、その特定機器用としてのリモコンコードを、前記自動トリガ手段によって出力されるタイミング信号に応じて前記送信手段を通じて送信するので、特定の照明機器、映像機器または音響機器を所有する利用者宅では、その機器に対するリモコンコードの選定のための手間を省くことができる。
【００９９】
請求項１５記載の発明は、請求項１または２記載の留守番リモコンにおいて、前記記憶手段は、前記照明機器のリモコンコードとして、照明入のリモコン操作を行うためのリモコンコードと、照明切のリモコン操作を行うためのリモコンコードとをそれぞれ複数種類記憶し、前記選定手段は、前記照明入および照明切のリモコン操作を行うための各リモコンコードを選定するための選定モードにおいて、それら各リモコンコードのうち、一方のリモコンコードを選定した後は、もう一方のリモコンコードを選定しなければ、当該選定モードの終了を禁止するので、照明入および照明切のリモコン操作を行うための各リモコンコードのうち、一方のリモコンコードのみが選定された場合にその一方のリモコンコードを有効にすることにより生じる留守番時の動作不良を防止することができる。
【０１００】
請求項１６記載の発明は、請求項１または２記載の留守番リモコンにおいて、前記記憶手段は、前記照明機器のリモコンコードとして、照明入のリモコン操作を行うためのリモコンコードと、照明切のリモコン操作を行うためのリモコンコードとをそれぞれ複数種類記憶し、前記選定手段は、前記照明入および照明切のリモコン操作を行うための各リモコンコードのうち、双方のリモコンコードが選定された場合にのみそれら双方のリモコンコードを有効とするので、照明入および照明切のリモコン操作を行うための各リモコンコードのうち、一方のリモコンコードのみが選定された場合にその一方のリモコンコードを有効にすることにより生じる留守番時の動作不良を防止することができる。
【０１０１】
請求項１７記載の発明は、請求項１または２記載の留守番リモコンにおいて、リモコンコード選定中、留守番中、留守番待機／設定待機中の違いにより点滅パターンを変化させる表示手段をさらに備えるので、リモコンコードの選定は一度行うとその後ほとんど行うことがないため、表示手段による点滅パターンで各状態を示すようにすることにより、コストダウンを図ることができ、またデザインをシンプルに見栄え良くすることができる。
【図面の簡単な説明】
【図１】本発明による第１実施形態の留守番リモコンの構成図である。
【図２】同留守番リモコンの使用例を示す図である。
【図３】同留守番リモコンの外観図である。
【図４】リモコンコードの分類図である。
【図５】同留守番リモコンの機能説明図である。
【図６】同留守番リモコンの機能説明図である。
【図７】本発明による第４実施形態の留守番リモコンの構成図である。
【図８】本発明による第５実施形態の留守番リモコンの構成図である。
【符号の説明】
１  留守番リモコン
１００，１００Ａ，１００Ｂ  リモコン回路部
１０１，１０１Ａ，１０１Ｂ  制御部
１０２，１０２Ａ  記憶部
１０３  送信部
１０４  自動トリガ部
１０５  設定操作部
１０６  確認操作部
２  照明機器
３  映像機器
【図１】
2004186838.tif 000003
【図２】
2004186838.tif 000004
【図３】
2004186838.tif 000005
【図４】
2004186838.tif 000006
【図５】
2004186838.tif 000007
【図６】
2004186838.tif 000008
【図７】
2004186838.tif 000009
【図８】
2004186838.tif 000010